(57)【特許請求の範囲】
【請求項１】
塗装ガンに着脱可能に取り付けられて回転駆動されると共に、回転中心部分に、塗料の通過経路の一部としての塗料部屋を有した回転霧化頭であって、
前記塗料部屋を内側に備えたインナーハウジングと、そのインナーハウジングを前方から受容可能な中央組付孔を有したアウターハウジングとに分割されると共に、前記インナーハウジングが、前後方向で前部インナーハウジングと後部インナーハウジングとに分割されて前記塗料部屋を開放可能な回転霧化頭において、
前記前部インナーハウジングと前記アウターハウジングとを螺合結合した螺合結合手段と、
前記前部インナーハウジングと前記後部インナーハウジングとを一体回転可能に結合した回転結合手段と、
前記後部インナーハウジングのうち前記中央組付孔を通して後方に露出した後端面に形成されて、前記後部インナーハウジングを回転させるための工具を係合可能な工具係合部と、
前記アウターハウジングに形成されて、前記前部インナーハウジングとの間で前記後部インナーハウジングを前後方向で挟持した後方当接部とを備えたことを特徴とする回転霧化頭。
【請求項２】
前記中央組付孔外で前記前部インナーハウジングと前記後部インナーハウジングとを合体状態に保持可能なインナー仮保持手段を備えたことを特徴とする請求項１に記載の回転霧化頭。
【請求項３】
前記前部インナーハウジングの前端外縁部から前方に突出し、先端に向かって徐々に薄くなった可撓筒壁を備え、前記可撓筒壁を縮径変形させて前記中央組付孔の内面に押し付けたことを特徴とする請求項１又は２に記載の回転霧化頭。
【請求項４】
前記前部インナーハウジングと前記後部インナーハウジングとの分割面は、前記塗料部屋の前後方向における中間部に配置され、
前記前部インナーハウジング及び前記後部インナーハウジングの何れか一方の分割面における前記塗料部屋の開口縁に、内側に向かって徐々に薄くなった環状可撓壁を設け、
他方の分割面を、前記環状可撓壁の先端部に前後方向から当接させて前記環状可撓壁の基端部から浮かせたことを特徴とする請求項１乃至３の何れか１の請求項に記載の回転霧化頭。
【請求項５】
形状が異なる複数種類の前記インナーハウジングを備え、それら複数種類のインナーハウジングのうち任意の１つを前記アウターハウジングに合体可能としたことを特徴とする請求項１乃至４の何れか１の請求項に記載の回転霧化頭。
【発明の詳細な説明】
【技術分野】
【０００１】
本発明は、塗装ガンに着脱可能に取り付けられて回転駆動されると共に、回転中心部分に、塗料の通過経路の一部としての塗料部屋を有した回転霧化頭に関する。
【背景技術】
【０００２】
従来、この種の回転霧化頭として、塗料部屋を内側に備えたインナーハウジングと、そのインナーハウジングを前方から受容可能な中央組付孔を有したアウターハウジングとに分割されたものが知られている。また、そのインナーハウジングは、塗料部屋の前面を閉塞する前面区画壁とそれ以外のインナー本体とに分割され、インナー本体が中央組付孔に挿入された後、前面区画壁が中央組付孔に圧入されるようになっている（例えば、特許文献１参照）。
【先行技術文献】
【特許文献】
【０００３】
【特許文献１】特開２００２−１８６８８３号公報（図２、段落［００４３］）
【発明の概要】
【発明が解決しようとする課題】
【０００４】
しかしながら、上記した従来の回転霧化頭では、塗料の通過経路である前面区画壁の前面及び後面が、圧入を伴う回転霧化頭の合体及び分解時に強く押されて変形又は損傷し、塗料の霧化に悪影響を及ぼすことがあった。
【０００５】
本発明は、上記事情に鑑みてなされたもので、分解及び合体を繰り返しても塗料の通過経路が変形・損傷することがなく、安定して塗料を霧化することが可能な回転霧化頭の提供を目的とする。
【課題を解決するための手段】
【０００６】
上記目的を達成するためになされた請求項１の発明に係る回転霧化頭は、塗装ガンに着脱可能に取り付けられて回転駆動されると共に、回転中心部分に、塗料の通過経路の一部としての塗料部屋を有した回転霧化頭であって、塗料部屋を内側に備えたインナーハウジングと、そのインナーハウジングを前方から受容可能な中央組付孔を有したアウターハウジングとに分割されると共に、インナーハウジングが、前後方向で前部インナーハウジングと後部インナーハウジングとに分割されて塗料部屋を開放可能な回転霧化頭において、前部インナーハウジングとアウターハウジングとを螺合結合した螺合結合手段と、前部インナーハウジングと後部インナーハウジングとを一体回転可能に結合した回転結合手段と、後部インナーハウジングのうち中央組付孔を通して後方に露出した後端面に形成されて、後部インナーハウジングを回転させるための工具を係合可能な工具係合部と、アウターハウジングに形成されて、前部インナーハウジングとの間で後部インナーハウジングを前後方向で挟持した後方当接部とを備えたところに特徴を有する。
【０００７】
請求項２の発明は、請求項１に記載の回転霧化頭において、中央組付孔外で前部インナーハウジングと後部インナーハウジングとを合体状態に保持可能なインナー仮保持手段を備えたところに特徴を有する。
【０００８】
請求項３の発明は、請求項１又は２に記載の回転霧化頭において、前部インナーハウジングの前端外縁部から前方に突出し、先端に向かって徐々に薄くなった可撓筒壁を備え、可撓筒壁を縮径変形させて中央組付孔の内面に押し付けたところに特徴を有する。
【０００９】
請求項４の発明は、請求項１乃至３の何れか１の請求項に記載の回転霧化頭において、前部インナーハウジングと後部インナーハウジングとの分割面は、塗料部屋の前後方向における中間部に配置され、前部インナーハウジング及び後部インナーハウジングの何れか一方の分割面における塗料部屋の開口縁に、内側に向かって徐々に薄くなった環状可撓壁を設け、他方の分割面を、環状可撓壁の先端部に前後方向から当接させて環状可撓壁の基端部から浮かせたところに特徴を有する。
【００１０】
請求項５の発明は、請求項１乃至４の何れか１の請求項に記載の回転霧化頭において、形状が異なる複数種類のインナーハウジングを備え、それら複数種類のインナーハウジングのうち任意の１つをアウターハウジングに合体可能としたところに特徴を有する。
【発明の効果】
【００１１】
［請求項１の発明］
請求項１の回転霧化頭を分解するには、回転霧化頭を塗装ガンから取り外し、アウターハウジングの中央組付孔に後方から挿入した工具を、後部インナーハウジングの工具係合部に係合して一方に回転させればよい。すると、後部インナーハウジングと一体に前部インナーハウジングも回転してアウターハウジングとの螺合が外れ、前部及び後部のインナーハウジングがアウターハウジングの前方に離脱する。そして、前部及び後部のインナーハウジングを分離すれば、塗料部屋が開放して、その内部を容易に清掃することができるようになる。一方、回転霧化頭を合体するには、前部及び後部のインナーハウジングを中央組付孔に前方から挿入した状態で、中央組付孔に後方から挿入した工具を後部インナーハウジングの工具係合部に係合させて、分解時と逆側に回転させればよい。すると、前部インナーハウジングとアウターハウジングとの螺合が深まるに従って前部インナーハウジングが後方に移動し、アウターハウジングの後方当接部と前部インナーハウジングとの間で後部インナーハウジングが挟まれる。これにより、前部及び後部のインナーハウジングが合体状態に固定されると共に、アウターハウジングに対して位置決めされて、合体作業が完了する。このように本発明の回転霧化頭では、分解操作時及び合体操作時に、従来のように、塗料の通過経路が強く押されることがないので、分解及び合体を繰り返しても塗料の通過経路が変形・損傷することがなく、安定して塗料を霧化することが可能になる。また、分解及び合体に必要な工具を係合するための工具係合部が、後部インナーハウジングの後端面に配置されているので、工具係合部が塗料の霧化に悪影響を及ぼすこともない。
【００１２】
［請求項２の発明］
請求項２の構成によれば、前部インナーハウジングと後部インナーハウジングとがインナー仮保持手段によって合体状態に保持されるので、アウターハウジングとインナーハウジングとの螺合操作中に、そのインナーハウジングが前部と後部のインナーハウジングに分離することが防がれ、螺合操作を容易に行うことができる。また、インナーハウジングとアウターハウジングとの合体完了時には、アウターハウジングの後方当接部と前部インナーハウジングとの間で後部インナーハウジングが挟まれて、前部及び後部のインナーハウジングが合体状態に固定されるので、前部と後部のインナーハウジングをインナー仮保持手段によって仮保持後に、合体完了時には本保持されることになる。これにより、インナー仮保持手段の保持力（仮保持力）を小さくして、その仮保持操作及び仮保持解除操作を容易に行えるようにすることが可能になる。
【００１３】
［請求項３の発明］
請求項３の構成によれば、前部インナーハウジングから前方に突出した可撓筒壁が、回転霧化頭の合体状態で縮径変形されて、その弾発力で中央組付孔の内面に押し付けられるので、回転霧化頭の前端面における前部インナーハウジングとアウターハウジングとの間の分割面の隙間を確実に塞ぐことができる。
【００１４】
［請求項４の発明］
請求項４の構成によれば、前部インナーハウジング及び後部インナーハウジングの何れか一方の分割面に設けた環状可撓壁のうち薄くなった先端部に他方の分割面が当接し、環状可撓壁の基端部からは他方の分割面が浮いているので、環状可撓壁が弾性変形して他方の分割面に密着し、塗料部屋の内面における分割面の隙間を確実に塞ぐことができる。
【００１５】
［請求項５の発明］
請求項５の構成によれば、複数種類のインナーハウジングに対してアウターハウジングを兼用して使用することができる。
【図面の簡単な説明】
【００１６】
【図１】本発明の第１実施形態に係る回転霧化頭の側断面図
【図２】筒形回転駆動シャフトから外された回転霧化頭の側断面図
【図３】（Ａ）前部インナーハウジングの前面図，（Ｂ）その側断面図，（Ｃ）その後面図
【図４】（Ａ）後部インナーハウジングの前面図，（Ｂ）その側断面図，（Ｃ）その後面図
【図５】回転霧化頭の一部を拡大した側断面図
【図６】本発明の第２実施形態に係る回転霧化頭の側断面図
【図７】その回転霧化頭におけるインナーハウジングの分解側断面図
【発明を実施するための形態】
【００１７】
以下、本発明の一実施形態を図１〜図５に基づいて説明する。図１には、塗装ガン１０の先端部が示されている。この塗装ガン１０は、本発明に係る回転霧化頭２０を先端部に備え、その回転霧化頭２０以外は、公知な構造になっている。即ち、塗装ガン１０は、筒形ボディ１１の中心部に筒形回転駆動シャフト１２を回転可能に支持して備え、その筒形回転駆動シャフト１２が図示しないエアーモーターから動力を受けて回転駆動されるようになっている。また、筒形回転駆動シャフト１２の中心部には、塗料供給管１３が遊嵌されかつその後端部が筒形ボディ１１に対して固定されている。そして、塗料供給管１３の内側の第１供給路１３Ａを通して、塗料が前方に向けて供給されると共に、塗料供給管１３の外側面と筒形回転駆動シャフト１２の内側面との間の第２供給路１２Ａを通して溶剤が前方に向けて供給される。また、筒形回転駆動シャフト１２の外周面には、前端部に雄螺子部１２Ｎが設けられると共に、その後側には、後方に向かって拡径したテーパー軸部１２Ｔが設けられている。また、塗料供給管１３の前端部には、全体より外径が小さいノズル部１３Ｃが備えられ、そのノズル部１３Ｃが筒形回転駆動シャフト１２の先端面より前方に突出している。
【００１８】
図２に示すように、回転霧化頭２０は、略円筒状のシャフト結合部２４の前端にベル形鍔部２３を備えてなる。また、シャフト結合部２４の内側は、ベル形鍔部２３によって前端を閉塞された結合凹部２４Ｅになっている。その結合凹部２４Ｅの内周面には、奥部に雌螺子部２４Ｎが形成されると共に、その雌螺子部２４Ｎの後側には、後方に向かって拡径したテーパー孔部２４Ｔが形成されている。そして、図１に示すように、シャフト結合部２４の雌螺子部２４Ｎと筒形回転駆動シャフト１２の雄螺子部１２Ｎとが螺合されかつ、シャフト結合部２４のテーパー孔部２４Ｔと筒形回転駆動シャフト１２のテーパー軸部１２Ｔとが摩擦係合して、回転霧化頭２０が筒形回転駆動シャフト１２と一体回転可能に結合されている。
【００１９】
図２に示すように、ベル形鍔部２３の前面は、前方に向かって拡径した前端凹面２６になっている。前端凹面２６は、中央円形部２６Ａと、その外側を囲む中間環状部２６Ｂと、さらにその外側を囲む外側環状部２６Ｃとからなる。中央円形部２６Ａは、回転霧化頭２０の回転中心線と直行する平坦面に対して僅かに傾斜して前方に向かって拡径したテーパー面になっている。また、中間環状部２６Ｂは、前端凹面２６のうち中央寄り位置の狭い範囲に設けられ、回転霧化頭２０の回転中心と平行な円筒面に対して僅かに傾斜して前方に向かって拡径したテーパー面になっている。外側環状部２６Ｃは、中間環状部２６Ｂより大きな傾斜角で前方に向かって拡径したテーパー面になっている。なお、中間環状部２６Ｂと外側環状部２６Ｃとの間は緩やかに湾曲している。また、外側環状部２６Ｃの外縁部には、径方向に延びた複数の溝２６Ｄが形成されている。
【００２０】
図１に示すように、ベル形鍔部２３には、前端凹面２６における中央円形部２６Ａの後方に塗料部屋２７が形成されている。塗料部屋２７の内部側面２７Ｓは、前方に向かって拡径したテーパー面になっている。また、塗料部屋２７と前端凹面２６とを区画する前面区画壁２８の内面、即ち、塗料部屋２７の内部前面２７Ｆの中央部からは、円錐形突部２８Ｔが突出している。さらに、前面区画壁２８には、複数の中央排出孔３０と複数の外縁排出孔３１とが貫通形成されている。複数の中央排出孔３０は、円錐形突部２８Ｔの中腹部分から中央円形部２６Ａの中心に向かって延び、それら複数の中央排出孔３０の前面開口は１つに纏められている。一方、複数の外縁排出孔３１は、前面区画壁２８の円形の外縁部に沿って円環状に等間隔に並べられている（図３（Ａ）参照）。そして、それら複数の外縁排出孔３１の中心軸が全て、塗料部屋２７の内部側面２７Ｓと平行になって延びている。さらには、各外縁排出孔３１の中心と回転霧化頭２０の中心とを含む平面で回転霧化頭２０を切断した切断面（図２に示した切断面）では、外縁排出孔３１のうち回転霧化頭２０の中心から最も離れた部分が塗料部屋２７と内部側面２７Ｓと面一になっている。
【００２１】
図１に示すように、塗料部屋２７と結合凹部２４Ｅとを区画する後面区画壁２９の中央には、後部センター孔３２が貫通形成されている。そして、後部センター孔３２に、塗料供給管１３のノズル部１３Ｃの先端部が突入している。また、塗料部屋２７の内部後面２７Ｒは、後部センター孔３２の開口縁に向かって迫り上がるように湾曲している。
【００２２】
図２に示すように、回転霧化頭２０は、インナーハウジング５０とアウターハウジング４０とに分割されると共に、そのインナーハウジング５０が、前部インナーハウジング５１と後部インナーハウジング６０とに分割されている。具体的には、回転霧化頭２０のうち結合凹部２４Ｅより前側部分には、結合凹部２４Ｅより内径が段付き状に大きくなった中央組付孔４１が形成されている。そして、中央組付孔４１と結合凹部２４Ｅとが連通し、それら中央組付孔４１と結合凹部２４Ｅの外側部分が筒状のアウターハウジング４０になっている。また、インナーハウジング５０は、塗料部屋２７を内側に備え、中央組付孔４１内に組み付けられている。なお、本実施形態では、アウターハウジング４０は、例えばアルミ製であって、インナーハウジング５０は、例えば樹脂製となっている。
【００２３】
中央組付孔４１のうち結合凹部２４Ｅとの境界部分には、本発明に係る「後方当接部」に相当する後方当接面４１Ａが備えられ、その後方当接面４１Ａは、回転霧化頭２０の回転軸方向に直交する平坦面になっている。また、中央組付孔４１の内周面には、後側から順番に、奥側円筒部４１Ｂ、雌螺子部４１Ｃ（本発明の「螺合結合手段」に相当する）、中間円筒部４１Ｄ及び前端当接部４１Ｅが備えられている。そして、雌螺子部４１Ｃの螺子山が、奥側円筒部４１Ｂより内側に突出している。また、中間円筒部４１Ｄは、奥側円筒部４１Ｂより内径が大きな円筒面になっていて、中間円筒部４１Ｄと雌螺子部４１Ｃとの間の段差部分は、テーパー状になっている。前端当接部４１Ｅは、回転霧化頭２０の回転中心と平行な円筒面に対して僅かに傾斜して前方に向かって拡径したテーパー面になっている。さらに、前端当接部４１Ｅの前端部は、外側環状部２６Ｃのうち中間環状部２６Ｂ寄り位置に配置されている。
【００２４】
インナーハウジング５０は、前端部と後端部に前面区画壁２８と後面区画壁２９とを備えかつ、前面区画壁２８より前方に可撓筒壁５２が張り出した構造になっている。インナーハウジング５０の外周面のうち前後方向の中間部には、前面区画壁２８の側方部分に段差部５０Ｄが設けられ、インナーハウジング５０のうち段差部５０Ｄより後方に備えたベース軸部５４の中間位置に、雄螺子部５１Ｎ（本発明の「螺合結合手段」に相当する）が形成されている。また、段差部５０Ｄより前方にはベース軸部５４より外径が大きな嵌合軸部５３が備えられ、さらに、その嵌合軸部５３より前側が前記した可撓筒壁５２になっている。
【００２５】
そして、インナーハウジング５０は、中央組付孔４１に対して前方から組み付けられ、嵌合軸部５３が中央組付孔４１の中間円筒部４１Ｄに嵌合されることでアウターハウジング４０に対して心だしされている。また、インナーハウジング５０は、雄螺子部５１Ｎがアウターハウジング４０の雌螺子部４１Ｃに螺合することで中央組付孔４１内に保持され、インナーハウジング５０の後端面２９Ｒが後方当接面４１Ａに当接することでアウターハウジング４０に対して軸方向で位置決めされている。さらに、インナーハウジング５０の可撓筒壁５２は、縮径変形した状態で前端当接部４１Ｅに密着している。
【００２６】
詳細には、以下の通りである。即ち、図５には、インナーハウジング５０が中央組付孔４１内に組み付けられかつ、可撓筒壁５２が縮径変形していない状態が拡大して示されている。同図に示すように、可撓筒壁５２の外周面であるテーパー面５２Ｔは、可撓筒壁５２の基端部で中央組付孔４１の前端当接部４１Ｅから僅かに離間し、可撓筒壁５２の先端部で前端当接部４１Ｅと干渉する形状になっている。即ち、可撓筒壁５２の先端部の外径は、前端当接部４１Ｅの最大の外径より僅かに大きくなっていて、それら可撓筒壁５２の先端部の外径と、前端当接部４１Ｅの最大の外径との差分だけ可撓筒壁５２が縮径変形して前端当接部４１Ｅに密着し、インナーハウジング５０と中央組付孔４１の内面との隙間が前端凹面２６側で閉塞されている。
【００２７】
インナーハウジング５０は、塗料部屋２７における前後方向の中間位置で前部インナーハウジング５１と後部インナーハウジング６０とに２分割されている。具体的には、図５に示すように、前部インナーハウジング５１の後端部には、嵌合筒部５１Ｚが形成され、その嵌合筒部５１Ｚの奥部には、接合平坦面５１Ｓが形成されている。前部インナーハウジング５１の接合平坦面５１Ｓは、インナーハウジング５０の軸方向と直交した平坦面であって、塗料部屋２７における前後方向の略中央に位置している。また、前部インナーハウジング５１における塗料部屋２７の開口縁は、本発明の環状可撓壁５５になっていて、環状可撓壁５５のうち接合平坦面５１Ｓと塗料部屋２７の内部側面２７Ｓとが交差した角部は鋭角になっている。即ち、環状可撓壁５５は内側に向かうに従って薄くなっている。
【００２８】
嵌合筒部５１Ｚの内周面には、複数（例えば、４つ）の回転係合突部５７が周方向に等間隔に突出形成されている。それら回転係合突部５７は、図３（Ｂ）に示すように、接合平坦面５１Ｓから嵌合筒部５１Ｚの後端寄り位置に亘って延びている。また、図３（Ｃ）に示すように、各回転係合突部５７は、インナーハウジング５０の軸方向から見ると略台形になっている。なお、その略台形の上辺は、インナーハウジング５０の中心軸を中心とした円の一部をなしかつ、台形の両側辺は窪むように湾曲した円弧になっている。また、図３（Ｂ）に示すように、嵌合筒部５１Ｚの内周面のうち回転係合突部５７より後端側には、係止溝５９が全周に亘って形成されている。
【００２９】
一方、後部インナーハウジング６０の先端部には、図５に示すように、前部インナーハウジング５１の嵌合筒部５１Ｚの内側に嵌合された嵌合軸部６０Ｚが設けられている。嵌合軸部６０Ｚの外周面のうち前後方向の中間位置から前端面にかけては、前記した複数の回転係合突部５７に対応させて、複数の回転係合凹部６３が陥没形成されている。それら回転係合凹部６３は、図４（Ａ）に示すように、後部インナーハウジング６０の軸方向から見た形状が、略台形になっていて、前部インナーハウジング５１と後部インナーハウジング６０とが合体すると、回転係合突部５７が回転係合凹部６３が係合して前部インナーハウジング５１と後部インナーハウジング６０とが一体回転可能に連結される。即ち、本実施形態では、これら回転係合突部５７と回転係合凹部６３とから本発明に係る「回転結合手段」が構成されている。
【００３０】
図４（Ｂ）に示すように、後部インナーハウジング６０の先端面は、内縁部が全体より前方に突出して当接平坦面６０Ｓになっている。そして、図５に示すように、当接平坦面６０Ｓが、環状可撓壁５５の先端部に後方から当接した状態で、環状可撓壁５５の基端部からは後部インナーハウジング６０の先端面が浮きかつ、回転係合突部５７も回転係合凹部６３内の後端面から浮くようになっている。
【００３１】
嵌合軸部６０Ｚの外周面の基端寄り位置には、係止突条６４が嵌合軸部６０Ｚの全周に形成されている。そして、後部インナーハウジング６０の係止突条６４が前部インナーハウジング５１の係止溝５９に凹凸係合して前部インナーハウジング５１と後部インナーハウジング６０とが合体状態に仮保持される。即ち、本実施形態では、係止溝５９と係止突条６４とから本発明に係る「インナー仮保持手段」が構成されている。
【００３２】
図５に示すように、後部インナーハウジング６０の後端部の外周面からは側方に向かって後端フランジ６２が張り出している。そして、後部インナーハウジング６０の後端面２９Ｒは、後面区画壁２９から後端フランジ６２の先端まで面一の平坦面になっていて、その平坦面のうち後端フランジ６２寄り位置から後端フランジ６２の先端位置に亘る範囲が後方当接面４１Ａに当接している。また、後部インナーハウジング６０の後面のうち結合凹部２４Ｅに臨んだ部分には、複数（例えば、４つ）の工具係合孔６１（本発明の「工具係合部」に相当する）が陥没形成されている。図４（Ｃ）に示すように、工具係合孔６１は、後部インナーハウジング６０の中心軸を中心として円弧状をなしている。そして、図２に示すように、工具９０に備えた複数の係合突部９１を複数の工具係合孔６１に係合させてインナーハウジング５０をアウターハウジング４０に対して螺合操作することができる。
【００３３】
本実施形態の回転霧化頭２０の構成に関する説明は以上である。次に、この回転霧化頭２０の作用効果について説明する。回転霧化頭２０は、塗装ガン１０の筒形回転駆動シャフト１２に取り付けられて使用される。即ち、塗装ガン１０は、回転霧化頭２０を筒形回転駆動シャフト１２と共に回転駆動させた状態で、塗料部屋２７に第１供給路１３Ａから塗料、第２供給路１２Ａから溶剤を供給する。すると、塗料が塗料部屋２７内で溶剤と混合され、中央排出孔３０及び外縁排出孔３１から前端凹面２６上に排出される。そして、遠心力を受けた塗料が前端凹面２６の外縁部から前方に霧状になって放出される。
【００３４】
ところで、塗装ガン１０の使用中に塗料の色替え等を行う場合には、第１供給路１３Ａから塗料の代わりに洗浄用の溶剤が塗料部屋２７に供給されて、回転霧化頭２０における塗料の通過経路が洗浄される。しかしながら、そのような簡易的な洗浄では、回転霧化頭２０を十分に洗浄することができない場合があるので、必要に応じて回転霧化頭２０を分解し、塗料部屋２７内を清掃する。
【００３５】
回転霧化頭２０を分解するには、回転霧化頭２０を塗装ガン１０の筒形回転駆動シャフト１２から取り外し、後部インナーハウジング６０の工具係合孔６１を、アウターハウジング４０の中央組付孔４１及び結合凹部２４Ｅを通して後方に露出させる。そして、図２に示すように、工具係合孔６１に工具９０の係合突部９１を係合させて、後部インナーハウジング６０をアウターハウジング４０に対して一方向に回転すればよい。すると、後部インナーハウジング６０と一体に前部インナーハウジング５１も回転してアウターハウジング４０との螺合が外れて、前部及び後部のインナーハウジング５１，６０がアウターハウジング４０の前方に離脱する。
【００３６】
次いで、前部及び後部のインナーハウジング５１，６０を分離する。そのためには、例えば、前部インナーハウジング５１の段差部５０Ｄと後部インナーハウジング６０の後端フランジ６２とに指又は図示しない工具を引っ掛けて引き離せばよい。すると、係止溝５９と係止突条６４との係合が解除されて、前部及び後部のインナーハウジング５１，６０が分離する。これにより、塗料部屋２７が開放して、その内部を容易に清掃することができるようになる。
【００３７】
一方、回転霧化頭２０を合体させるには、分解操作とは逆に、前部インナーハウジング５１の嵌合筒部５１Ｚ内に後部インナーハウジング６０の嵌合軸部６０Ｚを押し込んで係止溝５９と係止突条６４とを係合させて、それら前部と後部のインナーハウジング５１，６０を合体状態に仮保持する。そして、前部インナーハウジング５１と後部インナーハウジング６０とからなるインナーハウジング５０をアウターハウジング４０の中央組付孔４１に前方から挿入し、中央組付孔４１に後方から挿入した工具９０をインナーハウジング５０（詳細には、後部インナーハウジング６０）の工具係合孔６１に係合させて、分解時と逆側に回転させる。すると、前部インナーハウジング５１とアウターハウジング４０との螺合が深まるに従って前部インナーハウジング５１が後方に移動し、アウターハウジング４０の後方当接面４１Ａと前部インナーハウジング５１との間で後部インナーハウジング６０が挟まれる。これにより、前部及び後部のインナーハウジング５１，６０が合体状態に本保持（固定）されると共に、アウターハウジング４０に対して位置決めされ、合体作業が完了する。
【００３８】
このように本実施形態の回転霧化頭２０では、分解操作時及び合体操作時に、従来のように、塗料の通過経路が強く押されることがないので、分解及び合体を繰り返しても塗料の通過経路が変形・損傷することがなく、安定して塗料を霧化することが可能になる。また、分解及び合体に必要な工具９０を係合するための工具係合孔６１が、後部インナーハウジング６０の後端面２９Ｒに配置されているので、工具係合孔６１が塗料の霧化に悪影響を及ぼすこともない。
【００３９】
しかも、本実施形態の回転霧化頭２０では、前部インナーハウジング５１と後部インナーハウジング６０とが係止溝５９と係止突条６４によって合体状態に仮保持されるので、アウターハウジング４０とインナーハウジング５０との螺合操作中に、そのインナーハウジング５０が前部と後部のインナーハウジング５１，６０に分離することが防がれ、螺合操作を容易に行うことができる。また、回転霧化頭２０が合体した状態では、アウターハウジング４０の後方当接面４１Ａと前部インナーハウジング５１との間で後部インナーハウジング６０が挟まれて、前部及び後部のインナーハウジング５１，６０が合体状態に本保持（固定）されるので、係止溝５９及び係止突条６４による仮保持力を小さくして仮保持操作及びその解除操作を容易に行うことができる。
【００４０】
さらには、前部インナーハウジング５１から前方に突出した可撓筒壁５２が、回転霧化頭２０の合体状態で縮径変形されて、その弾発力で中央組付孔４１の内面に押し付けられるので、回転霧化頭２０の前端面における前部インナーハウジング５１とアウターハウジング４０との間の分割面の隙間を確実に塞ぐことができる。また、前部インナーハウジング５１のうち塗料部屋２７の分割開口面に設けた環状可撓壁５５のうち薄くなった先端部に後部インナーハウジング６０の当接平坦面６０Ｓが当接し、環状可撓壁５５の基端部からは後部インナーハウジング６０が浮いた状態になるので、環状可撓壁５５が弾性変形して後部インナーハウジング６０に密着し、塗料部屋２７の内面における分割面の隙間を確実に塞ぐことができる。
【００４１】
［第２実施形態］
本実施形態の回転霧化頭２０Ｖは、図６及び図７に示されており、本発明に係る「回転結合手段」及び「インナー仮保持手段」の構成が第１実施形態と異なる。即ち、図７に示すように、前部インナーハウジング５１Ｖのうち嵌合筒部５１Ｚの内周面における後端部からは、例えば、断面円形の複数（例えば、４つ）の連結突部５８が内側に向かって突出形成されている。
【００４２】
一方、後部インナーハウジング６０Ｖのうち嵌合軸部６０Ｚの外周面には、連結突部５８に対応させて複数（例えば、４つ）の連結溝６４Ｖが形成されている。各連結溝６４Ｖは、後部インナーハウジング６０Ｖの前端面に開放しかつ後部インナーハウジング６０Ｖの軸方向に延びた縦溝部６４Ａと、その連結溝６４Ｖの後端部から周方向に延びた横溝部６４Ｂとを備えたＬ字形状をなしている。そして、例えば、嵌合筒部５１Ｚ内に嵌合軸部６０Ｚを嵌合することで、各連結溝６４Ｖにおける縦溝部６４Ａの後部まで各連結突部５８を受容することができ、前部インナーハウジング５１Ｖに対して後部インナーハウジング６０Ｖを一方向（例えば、回転霧化頭２０Ｖの合体操作時に後部インナーハウジング６０Ｖを回転させる方向）に回転させることで、各連結突部５８を連結溝６４Ｖにおける横溝部６４Ｂの奥部まで受容することができる。
【００４３】
そして、連結突部５８と連結溝６４Ｖとの係合によって、図６に示すように、前部インナーハウジング５１Ｖと後部インナーハウジング６０Ｖとが一体回転可能に連結されかつ合体状態に仮保持される。即ち、本実施形態では、本発明に係る「回転結合手段」及び「インナー仮保持手段」が共に連結突部５８及び連結溝６４Ｖによって構成されている。このような構成にすれば、第１実施形態と同様の作用効果を奏する。
［他の実施形態］
【００４４】
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４５】
（１）前記第１実施形態の回転霧化頭２０から係止溝５９と係止突条６４とを排除して、前部と後部のインナーハウジング５１，６０が合体状態に仮保持されない構成にしてもよいし、前記第２実施形態の回転霧化頭２０Ｖの連結溝６４Ｖから横溝部６４Ｂを排除して、前部と後部のインナーハウジング５１Ｖ，６０Ｖが合体状態に仮保持されない構成にしてもよい。
【００４６】
（２）前記第１実施形態では、塗料部屋２７の前後方向における略中央に前部と後部のインナーハウジング５１，６０の分割面が配置されていたが、それら前部と後部のインナーハウジングの分割面は塗料部屋の前端部又は後端部に配置されていてもよい。
【００４７】
（３）また、例えば、塗料の粘性や塗料の噴出量等に応じて、中央排出孔３０及び外縁排出孔３１の形状、孔径、数等を異ならせた複数種類のインナーハウジングを備えておき、それら複数種類のインナーハウジングを共通のアウターハウジングに合体可能としてもよい。そうすれば、複数種類のインナーハウジングの間でアウターハウジングを兼用することができ、コスト低減が図られる。
【符号の説明】
【００４８】
１０    塗装ガン
２０，２０Ｖ    回転霧化頭
２７    塗料部屋
４０    アウターハウジング
４１    中央組付孔
４１Ａ  後方当接面（後方当接部）
４１Ｃ  雌螺子孔（螺合結合手段）
５０    インナーハウジング
５１，５１Ｖ    前部インナーハウジング
５１Ｎ    雄螺子部（螺合結合手段）
５１Ｖ    前部インナーハウジング
５１Ｖ，６０Ｖ    インナーハウジング
５２    可撓筒壁
５５    環状可撓壁
５７    回転係合突部（回転結合手段）
５８    連結突部（回転結合手段、インナー仮保持手段）
５９    係止溝（インナー仮保持手段）
６０，６０Ｖ    後部インナーハウジング
６１    工具係合孔（工具係合部）
６３    回転係合凹部（回転結合手段）
６４    係止突条（回転結合手段、インナー仮保持手段）
６４Ｖ  連結溝
９０    工具
【図１】
0005594735.tif 000002
【図２】
0005594735.tif 000003
【図３】
0005594735.tif 000004
【図４】
0005594735.tif 000005
【図５】
0005594735.tif 000006
【図６】
0005594735.tif 000007
【図７】
0005594735.tif 000008